(57)【特許請求の範囲】
【請求項１】
厚紙からなる外箱の内部に複数個の包装袋を並列に収納した袋入り包装箱であって、前記外箱は前面板、天面板、背面板、底面板、後面板が横折罫を介して順次連接されると共に前記前面板から天面板に亘って前記前面板および前記天面板の複数箇所に開口部を区画形成する開封用切取線が穿設されてなり、前記前面板と前記後面板とを前記前面板に穿設された開封用切取線で形成される前記開口部以外の個所で接着されると共に両側部を封止した構成からなり、前記包装袋は端縁熱接着部で密封されると共に前記端縁熱接着部の一つは端辺より稍離れた位置に形成される開封開始端縁熱接着部からなると共に該開封開始端縁熱接着部の前記端辺の２箇所に破断開始手段が設けられてなり、前記包装袋の前記開封開始端縁熱接着部が前記前面板と前記後面板の間の前記開封用切取線で形成される前記開口部に対応する位置で前記破断開始手段が前記開封用切取線と重なる位置ないし前記開封用切取線近傍の位置となるように配置されると共に前記開封開始端縁熱接着部の一方の外面が前記前面板の裏面と貼着され、他方の外面が前記後面板と貼着され、前記前面板および前記天面板に開口部を形成したときに前記開封開始端縁熱接着部が開封される構成としたことを特徴とする袋入り包装箱。
【請求項２】
前記開封開始端縁熱接着部は前記破断開始手段を設けた前記端辺側が凹凸形状をなしていることを特徴とする請求項１記載の袋入り包装箱。
【請求項３】
前記包装袋はその層構成中に前記破断開始手段を設けた前記端辺に直交する方向に延伸された一軸延伸フィルム層を有していることを特徴とする請求項１、２のいずれかに記載の袋入り包装箱。
【請求項４】
前記破断開始手段が複数本の切目線であることを特徴とする請求項１〜３のいずれかに記載の袋入り包装箱。
【請求項５】
前記包装袋は前記端縁熱接着部が合掌貼り背シール部と該背シール部に直交する両端シール部とからなるガセットタイプの包装袋であって、前記両端シール部の一方が前記開封開始端縁熱接着部であることを特徴とする請求項１〜４のいずれかに記載の袋入り包装箱。
【請求項６】
前記外箱の前記後面板に横折罫を介して補強板が連接されていることを特徴とする請求項１〜５のいずれかに記載の袋入り包装箱。
【発明の詳細な説明】
【０００１】
【発明の属する技術分野】
本発明は、外箱の内部に複数個の包装袋が並列に収納された袋入り包装箱、いわゆるバッグインカートンに関し、さらに詳しくは、外箱は複数箇所に開口部を形成できるように構成されると共に外箱に形成された一つの開口部を開封すると同時に外箱の内部に収納された一つの包装袋を開封することができる袋入り包装箱に関する。
【０００２】
【従来の技術】
従来、外箱の内部に包装袋が収納された袋入り包装箱において、外箱と包装袋を同時に開封するタイプのものについては種々の提案がなされると共に実用化されている。例示するならば、実公昭５８−４９９５８号公報、特公昭６２−５８９７６号公報、あるいは、特開平７−２５１８３１号公報などを挙げることができる。
【０００３】
しかし、上記に示したものは、いずれも外箱の内部に包装袋が一つ収納されたもの、すなわち一つの外箱の内部に一つの包装袋が収納された構成からなるものであった。そのために、たとえば、菓子、佃煮等の食品が包装袋に収容されている場合、一度開封すると食品全体が露出されて外気に晒されるために、一回に全部消費する場合は問題ないが、一部を残す場合には、包装袋内に残された食品が環境温湿度や酸素の影響を受けて変質し食感や風味を落とすという問題があり、一回で消費可能な適当量を収容した包装袋を複数個収納した袋入り包装箱が食品メーカーあるいは消費者の両者から要望されていた。
【０００４】
また、消費者からは、たとえば、同じ種類の菓子や佃煮は食べ飽きるので、色々な種類の菓子や佃煮を少量ずつ食べたいというさらなる要望が出されていた。
【０００５】
【発明が解決しようとする課題】
そこで本発明は、上記要望に応えるべくなされたものであって、複数個の包装袋を各々独立した状態で外箱内に並列に収納し、使用時には包装袋単位に外箱と包装袋とを同時に開封することができる袋入り包装箱を提供することである。
【０００６】
【課題を解決するための手段】
本発明者は、上記課題を達成するために、請求項１記載の本発明は、厚紙からなる外箱の内部に複数個の包装袋を並列に収納した袋入り包装箱であって、前記外箱は前面板、天面板、背面板、底面板、後面板が横折罫を介して順次連接されると共に前記前面板から天面板に亘って前記前面板および前記天面板の複数箇所に開口部を区画形成する開封用切取線が穿設されてなり、前記前面板と前記後面板とを前記前面板に穿設された開封用切取線で形成される前記開口部以外の個所で接着されると共に両側部を封止した構成からなり、前記包装袋は端縁熱接着部で密封されると共に前記端縁熱接着部の一つは端辺より稍離れた位置に形成される開封開始端縁熱接着部からなると共に該開封開始端縁熱接着部の前記端辺の２箇所に破断開始手段が設けられてなり、前記包装袋の前記開封開始端縁熱接着部が前記前面板と前記後面板の間の前記開封用切取線で形成される前記開口部に対応する位置で前記破断開始手段が前記開封用切取線と重なる位置ないし前記開封用切取線近傍の位置となるように配置されると共に前記開封開始端縁熱接着部の一方の外面が前記前面板の裏面と貼着され、他方の外面が前記後面板と貼着され、前記前面板および前記天面板に開口部を形成したときに前記開封開始端縁熱接着部が開封される構成としたことを特徴とするものである。このように構成することにより、前面板から天面板に亘って穿設された開封用切取線により区画形成された開口部を前記前面板から開封すると、前記開封開始端縁熱接着部が開封されると略同時に包装袋に形成された破断開始手段により前記前面板の裏面に貼着された前記破断開始手段間の包装袋が外箱に形成された開封用切取線と一緒に引裂かれ、外箱と包装袋とを同時に開口することができる。
【０００７】
また、請求項２記載の本発明は、請求項１記載の袋入り包装箱において、前記開封開始端縁熱接着部は前記破断開始手段を設けた前記端辺側が凹凸形状をなしていることを特徴とするものである。このように構成することにより、開封開始端縁熱接着部をより弱い力で開封可能とすることができる。
【０００８】
また、請求項３記載の本発明は、請求項１、２のいずれかに記載の袋入り包装箱において、前記包装袋はその層構成中に前記破断開始手段を設けた前記端辺に直交する方向に延伸された一軸延伸フィルム層を有していることを特徴とするものである。このように構成することにより、包装袋をより容易に美麗に引裂くことができる。
【０００９】
また、請求項４記載の本発明は、請求項１〜３のいずれかに記載の袋入り包装箱において、前記破断開始手段が複数本の切目線であることを特徴とするものである。このように構成することにより、通常は包装袋に設けた破断開始手段と外箱に設けた前記開封用切取線との位置を正確に合わす必要があるが、その必要性をなくすことができ、生産性を向上することができると共に確実に外箱と包装袋とを同時に開口することができる。
【００１０】
また、請求項５記載の本発明は、請求項１〜４のいずれかに記載の袋入り包装箱において、前記包装袋は前記端縁熱接着部が合掌貼り背シール部と該背シール部に直交する両端シール部とからなるガセットタイプの包装袋であって、前記両端シール部の一方が前記開封開始端縁熱接着部であることを特徴とするものである。このように構成することにより、三方シールタイプや四方シールタイプの包装袋に比べて包装袋に収容可能な食品等の内容量を多くすることができる。
【００１１】
また、請求項６記載の本発明は、請求項１〜５のいずれかに記載の袋入り包装箱において、前記外箱の前記後面板に横折罫を介して補強板が連接されていることを特徴とするものである。このように構成することにより、後面板の腰を強くすることができ、前記後面板に包装袋等を貼着する際に前記後面板が貼着する際の圧力に充分に抗することができるために生産性を向上することができる。
【００１２】
【発明の実施の形態】
上記の本発明について、図面等を用いて以下に詳述する。
図１は本発明にかかる袋入り包装箱の一実施例を示す斜視図、図２は図１に示す袋入り包装箱の構成部材である外箱の展開図、図３は図１に示す袋入り包装箱の構成部材である包装袋の斜視図、図４は図３のＹ−Ｙ線断面図、図５は図１に示す袋入り包装箱を前面板側から見た透視図、図６は図１のＸ−Ｘ線断面図、図７は本発明にかかる袋入り包装箱の開封後の状態を示す斜視図であり、図中の１は袋入り包装箱、２は開封用切取線、３，３１，３２，３３，３４，３５，３６，３７，３８，３９は折罫、４は係止片、５は接着剤、１０は外箱、１１は切込線、１２は引裂き線、１３，１４，１５は切目、２０は前面板、２１は天面板、２２は背面板、２３は底面板、２４は後面板、２５は補強板、２６は表側面フラップ、２７，２９は舌片、２８は裏側面フラップ、５０は包装袋、５１は開封開始端縁熱接着部（上端シール部）、５２は下端シール部、５３は背シール部、５４はガセット部、５５は未接着部、５６は切目線、Ａは開口部をそれぞれ示す。
【００１３】
図１は本発明にかかる袋入り包装箱の一実施例を示す斜視図であって、袋入り包装箱１は前面板２０に横折罫３１を介して連接する天面板２１に前記前面板２０から前記天面板２１に亘って前記前面板２０および前記天面板２１の２箇所に開口部Ａを区画形成する開封用切取線２が設けられると共に、該開封用切取線２は前記前面板２０に設けられた２条の切込線１１にその一方端が連接する引裂き線１２が前記天面板２１に延設され、その他方端が前記天面板２１に前記横折罫３１に平行に設けられた折罫３の両端に連接し、前記２条の切込線１１で囲まれた部分Ｂを手指で摘まみ上げることにより前記引裂き線１２に沿って前記前面板２０と前記天面板２１とが折罫３まで引裂かれて、前記前面板２０および前記天面板２１の２箇所に開口部Ａを形成するように構成されている外箱１０と、該外箱の内部に並列に収納された２個の包装袋５０（図示せず）からなっている。なお、図１においては、２箇所に開口部Ａを形成するための前記引裂き線１２を前記天面板２１において一部共有するように構成しているが、共有することなく別々に設けてもよく、また、前記引裂き線１２を前記天面板２１において前記折罫３６と平行に設けたが、開口部Ａをより大きくするために前記折罫３６と一致するように形成してもよいものである。さらに、前記引裂き線１２を前記折罫３２まで延ばして形成し、前記折罫３を前記折罫３２と一致させるように設けてもよいものである。
【００１４】
図２は図１に示す袋入り包装箱の構成部材である外箱の展開図であって、前記外箱１０は前面板２０、天面板２１、背面板２２、底面板２３、後面板２４、補強板２５が横折罫３１、３２、３３、３４、３５を介して順次連接し、前記天面板２１、背面板２２、底面板２３、後面板２４の前記横折罫３１に直交する方向の両端辺に縦折罫３６、３７、３８、３９を介して表側面フラップ２６、舌片２７、裏側面フラップ２８、舌片２９が連接し、さらに上記したように前記前面板２０および前記天面板２１の２箇所に開口部Ａを区画形成する開封用切取線２が設けられている。そして、前記開口部Ａを形成する前記前面板２０には略半円形状の切目１３により半円形状の係止片４が形成され、この係止片４と係合する略櫛目状の切目１４が前記後面板２４に設けられ、前記開口部Ａを再封緘できるように構成されると共に前記横折罫３５には２箇所に切目１５が設けられ、前記補強板２５を前記横折罫３５で折り易く構成されているブランク板１０’からなり、これを組立てることにより前記外箱１０となる。
【００１５】
前記ブランク板１０’は、コートボール紙やダンボール紙等の保形性がある厚紙を適宜選定し、印刷することにより印刷層を設け、また、必要に応じて表面に艶出し層や表面保護層等を設けて後に、押罫や切刃が組込まれた抜型で型抜きすることにより何等の制約なく容易に作製することができる。
【００１６】
図３は図１に示す袋入り包装箱の構成部材である包装袋の斜視図、図４は図３のＹ−Ｙ線断面図であって、包装袋５０は端縁熱接着部が合掌貼り背シール部５３と該背シール部５３に直交する上下端シール部５１、５２とからなる両側部にＶ字状に折り込まれたガセット部５４を有するガセット袋であって、上端シール部５１が上端辺（図３上は下側の端辺）より稍離れた位置、すなわち端辺側に未接着部５５が存在する位置にジグザグ（ｚｉｇｚａｇ）に形成されて開封開始端縁熱接着部を構成しているものである（以後、上端シール部を開封開始端縁熱接着部に言い換えて説明する）。そして、前記未接着部５５のガセット部５４の存在する両側部に上端辺から前記背シール部５３の長手方向に平行に破断開始手段の一つである複数本の切目線（図３上は各５本のＩノッチ）５６が包装袋５０を貫通して設けられている。なお、開封開始端縁熱接着部５１を図３上においてはジグザグ（ｚｉｇｚａｇ）に形成したものを示したが、これは一例を例示したものであってこれに限定されるものではなく、要するに前記破断開始手段を設けた前記上端辺側が凹凸形状をなしているものであればよいのであって、図示はしないが、たとえば、蛇行線形状や鋸刃形状であってもよいものである。また、前記切目線５６の長さは前記未接着部５５に留まるように構成してもよいし、前記開封開始端縁熱接着部５１にその一部が及ぶように構成してもよいものである。なお、前記切目線５６は破断開始手段の一つを例示したものであって、これに限ることはなく、たとえば、１個ないし複数個のＶノッチであってもよいものであって、本発明の趣旨を逸脱しない範疇の開封開始手段はすべて含まれるものである。
【００１７】
次に、袋入り包装箱１の内部について説明する。
図５は図１に示す袋入り包装箱を前面板側から見た透視図、図６は図１のＸ−Ｘ線断面図であって、２袋の包装袋５０はそれぞれが背シール部を外箱１０の底面板２３側にして開封開始端縁熱接着部５１を有する上端部が外箱１０の前面板２０と後面板２４の間に介在するように、かつ、包装袋５０の未接着部５５に設けた破断開始手段の一つである複数本の切目線（図３上は各５本のＩノッチ）５６が占有する領域（符号Ｃで表示）上に外箱１０に形成した開封用切取線２の前記引裂き線１２が位置するように並列に載置されると共に、包装袋５０の上端辺に設けた未接着部５５近傍で前記包装袋５０の一方の外面と前記前面板２０の裏面および前記包装袋５０の他方の外面と前記後面板２４がホットメルト接着剤等の周知の接着剤５（図６上は前記包装袋５０の一方の外面と前記前面板２０の裏面との接着剤を表示したものであるが、前記包装袋５０の他方の外面と前記後面板２４との接着剤についても図６に示した位置と略対向する位置に設けられている）で前記外箱１０にそれぞれ５箇所で接着固定され、さらに前記外箱１０は前記前面板２０の裏面と前記後面板２４が当接する前記前面板１０に形成した２条の切込線１１で囲まれた部分Ｂ以外の個所（図６上は７箇所）で上記したホットメルト接着剤等の周知の接着剤５で接着固定されて封止されている。なお、前記後面板２４に折罫３５（図２参照）を介して連設した補強板２５は、前記後面板２４に剛性を持たせるために設けるものであり、前記後面板２５に包装袋５０や前記前面板を接着固定する際に、前記補強板２５を設けることにより前記後面板２４の撓みを防止することができ、容易に接着固定することができる。また、開口部Ａを形成する際の包装袋５０の開封性を考慮すると、包装袋５０の複数本の切目線５６を前記前面板２０の前記引裂き線１２の前記折罫３１に対して直交する部分と一致するように形成するのが好ましい。
【００１８】
このように構成した袋入り包装箱１は、外箱１０の２条の切込線１１で囲まれた部分Ｂを手指で摘まみ上げることにより引裂き線１２に沿って引裂かれると共に、包装袋５０の開封開始端縁熱接着部５１が開封されると略同時に包装袋５０に設けた破断開始手段の一つである複数本の切目線５６から前記前面板１０の裏面に貼着された前記破断開始手段間の包装袋５０が外箱に形成された開封用切取線と一緒に引裂かれて外箱１０と包装袋５０とを図７に示すように同時に開封して開口部Ａを形成することができる。また、図示はしないが、外箱１０の前面板１０に半円形状の切目１３により形成された半円形状の係止片４と後面板に形成された略櫛目状の切目１４とを係合することにより再封緘することができる。
【００１９】
次に、包装袋５０について説明する。包装袋５０は内層に熱接着性樹脂層と外層とからなり、必要に応じて前記内層と前記外層の間に中間層が設けられる積層体から作製され、内層同士を熱接着することにより密封された包装袋となる。そして、本発明の包装袋５０は開封開始端縁熱接着部５１の接着強度が包装袋５０の外面と前面板２０の裏面あるいは後面板２４との接着強度よりも弱く構成することにより本発明の袋入り包装箱１となる。本発明においては開封開始端縁熱接着部５１を上記したような形状に構成することで目的を達成するものであるが、より確実に目的を達成するために、内層の熱接着性樹脂層を易剥離性を有する熱接着性樹脂で形成することもできる。この易剥離性を有する熱接着性樹脂としては、たとえば、和田化学工業（株）製のＳＭＸ−Ｙ０３（商品名），ＳＭＸ−Ｙ０４（商品名），ＩＭＸ（商品名）や東レ合成フィルム（株）製のトレファンＣＦ７６０１Ｇ（商品名）、あるいは、一軸延伸ポリエチレンフィルム等を挙げることができる。なお、ポリエチレン、ポリプロピレン、エチレン−プロピレン共重合体等の通常の熱接着性樹脂についても当然のこと使用することができる。
【００２０】
また、前記外層は包装袋５０の基材層となるものであり、一軸方向ないし二軸方向に延伸されたフィルムを用いることが適当である。特に、袋入り包装箱１を開封する際に包装袋を破断開始手段から引裂くことになり、包装袋５０の引裂き方向に延伸方向が合致するように一軸延伸フィルムを用いるのが好適である。また、一軸延伸フィルムと同じ機能を果たす目的で、包装袋５０を構成する前記外層及び／ないし中間層に引裂き方向と一致する方向に直線状の切刃を設けた構成としてもよいものである。また、遮光性や酸素ガスや水蒸気ガス等のガスバリアー性を包装袋５０の付与する目的でアルミニウム箔やアルミニウム等の無機物を蒸着した二軸延伸フィルムを中間層として用いることもできる。
【００２１】
包装袋５０を形成する積層体の代表的な層構成を例示すると、セロハン／熱接着性樹脂層、一軸ないし二軸延伸ポリプロピレンフィルム／熱接着性樹脂層、一軸ないし二軸延伸ポリエステルフィルム／熱接着性樹脂層、セロハン／アルミニウム箔／熱接着性樹脂層、一軸ないし二軸延伸ポリエステルフィルム／アルミニウム箔／熱接着性樹脂層、一軸延伸ポリプロピレンフィルムないしポリエステルフィルム／アルミ蒸着ポリエステルフィルムないしポリプロピレンフィルム／熱接着性樹脂層等を挙げることができる。
【００２２】
なお、今までの実施例においては、包装袋５０をガセットタイプの包装袋として説明してきたが、これについてもガセットタイプの包装袋に限ることはなく、たとえば、三方シールタイプ、四方シールタイプ、ピロータイプの包装袋やスタンディングパウチ等であってもよいものである。また、包装袋と外箱あるいは外箱同士の接着についても、ポイントで接着固定する実施例を示したが、これに限るものではなく、帯状あるいは線状であっても構わない。さらにまた、実施例においては包装袋２袋を並列に収納した袋入り包装箱ということで説明してきたが、３袋以上を並列に収納する袋入り包装箱であってもよいものである。
【００２３】
【発明の効果】
以上縷々説明したように、本発明の袋入り包装箱は、複数個の包装袋を並列に収納し、使用時には包装袋単位に外箱と包装袋とを同時に開封することができるという効果を奏すると共に、包装袋は各々独立した状態で外箱内に収納されているために、使用時までは完全に密封した状態で食品等の内容物を確実に保護することができるという効果を奏するものである。
【図面の簡単な説明】
【図１】本発明にかかる袋入り包装箱の一実施例を示す斜視図である。
【図２】図１に示す袋入り包装箱の構成部材である外箱の展開図である。
【図３】図１に示す袋入り包装箱の構成部材である包装袋の斜視図である。
【図４】図３のＹ−Ｙ線断面図である。
【図５】図１に示す袋入り包装箱を前面板側から見た透視図である。
【図６】図１のＸ−Ｘ線断面図である。
【図７】本発明にかかる袋入り包装箱の開封後の状態を示す斜視図である。
【符号の説明】
１                            袋入り包装箱
２                            開封用切取線
３，３１，３２，３３，３４    折罫
３５，３６，３７，３８，３９  折罫
４                            係止片
５                            接着剤
１０                          外箱
１１                          切込線
１２                          引裂き線
１３，１４，１５              切目
２０                          前面板
２１                          天面板
２２                          背面板
２３                          底面板
２４                          後面板
２５                          補強板
２６                          表側面フラップ
２７，２９                    舌片
２８                          裏側面フラップ
５０                          包装袋
５１                          開封開始端縁熱接着部（上端シール部）
５２                          下端シール部
５３                          背シール部
５４                          ガセット部
５５                          未接着部
５６                          切目線
Ａ                            開口部
【図１】
0003908517.tif 000002
【図２】
0003908517.tif 000003
【図３】
0003908517.tif 000004
【図４】
0003908517.tif 000005
【図５】
0003908517.tif 000006
【図６】
0003908517.tif 000007
【図７】
0003908517.tif 000008